(57)【要約】【課題】ルーフトリムとアクセサリーパーツをモジュール化するルーフトリムにおけるモジュール化構造において、車体ユニットとの干渉を回避でき、かつルーフトリムの開口を小さく規制でき、外観性能を高めたモジュール化構造を提供する。【解決手段】アシストグリップ（アクセサリーパーツ）２０の支持部材５２をルーフトリム１０に取り付ける際、支持部材５２に抜き差し自在に保持されるインサート体５３をルーフトリム１０の開口１５内に挿入し、インサート体５３の先端面５３１に鉄クリップ５４をネジ止め固定するか、あるいは支持部材５２の取付面にルーフトリム１０の開口１５内に挿入する突起５２４を突設し、突起５２４の下端面５２４ａに鉄クリップ５４をフローティング構造の長寸状ネジ５６でネジ止めすることでモジュール化する。そして、ルーフトリム１０における開口１５の寸法を小径化する。【選択図】図４
2005306288.tif 000002
【特許請求の範囲】
【請求項１】
車体のルーフパネル（４０）の室内面に装着されるルーフトリム（１０）並びにアクセサリーパーツ（２０）を仮保持した状態でルーフパネル（４０）にルーフトリム（１０）を位置決めし、ルーフトリム（１０）及びアクセサリーパーツ（２０）をルーフパネル（４０）に取り付けるルーフトリムにおけるモジュール化構造において、
前記アクセサリーパーツ（２０）は、支持部材（５２）により支持されており、ルーフトリム（１０）の表面に対して上記支持部材（５２）を位置決めし、支持部材（５２）の開口（５２２）内にインサート体（５３）を抜き差し自在に挿入し、かつインサート体（５３）をルーフトリム（１０）の開口（１５）内に挿入した後、インサート体（５３）の先端面（５３１）に鉄クリップ（５４）をネジ止め固定することにより、ルーフトリム（１０）に対してアクセサリーパーツ（２０）を仮保持し、ルーフパネル（４０）の取付孔（４１）に上記鉄クリップ（５４）を対峙させるように、ルーフトリム（１０）を位置決めした後、インサート体（５３）を押し込むことにより、鉄クリップ（５４）をルーフパネル（４０）の取付孔（４１）内に係着し、ルーフトリム（１０）とアクセサリーパーツ（２０）をルーフパネル（４０）に一括して組み付けることを特徴とするルーフトリムにおけるモジュール化構造。
【請求項２】
車体のルーフパネル（４０）の室内面に装着されるルーフトリム（１０）並びにアクセサリーパーツ（２０）を仮保持した状態でルーフパネル（４０）にルーフトリム（１０）を位置決めし、ルーフトリム（１０）及びアクセサリーパーツ（２０）をルーフパネル（４０）に取り付けるルーフトリムにおけるモジュール化構造において、
前記アクセサリーパーツ（２０）は、支持部材（５２）により支持され、支持部材（５２）には、ルーフトリム（１０）の開口（１５）内に挿入する突起（５２４）が一体化されており、該突起（５２４）をルーフトリム（１０）の開口（１５）内に挿入した後、突起（５２４）の下端面（５２４ａ）に鉄クリップ（５４）を位置決めし、突起（５２４）の内面側から長寸状ネジ（５６）を挿入し、この長寸状ネジ（５６）の先端に鉄クリップ（５４）を仮止めし、鉄クリップ（５４）を先端に仮保持した長寸状ネジ（５６）を支持部材（５２）に対してフローティング構造に設定することで、ラフな状態でルーフトリム（１０）にアクセサリーパーツ（２０）を仮保持し、ルーフパネル（４０）の取付孔（４１）に上記鉄クリップ（５４）を対峙させて、ルーフトリム（１０）を位置決めした後、取付孔（４１）内に鉄クリップ（５４）を係着し、更に、長寸状ネジ（５６）を鉄クリップ（５４）に対して締め付けていくことで、ルーフトリム（１０）及びアクセサリーパーツ（２０）をルーフパネル（４０）に一括して組み付けることを特徴とするルーフトリムにおけるモジュール化構造。
【発明の詳細な説明】
【技術分野】
【０００１】
この発明は、ルーフトリムにおけるモジュール化構造に関するもので、ルーフパネルの室内面にルーフトリムを取り付ける際、ルーフトリムの室内面に装着されるアシストグリップ、ルームミラー用ブラケット、サンバイザ用ブラケット等のアクセサリーパーツを一括して組み付けることができるとともに、部品点数を削減でき、しかも外観見栄えを向上させたルーフトリムにおけるモジュール化構造に関する。
【背景技術】
【０００２】
通常、車体のルーフ部には、ルーフパネルの室内側にルーフトリムが内装され、更に、ルーフトリムの室内側には、アシストグリップ、ルームミラー用ブラケット、サンバイザ用ブラケット等の各種アクセサリーパーツが装着されている。
【０００３】
上記アクセサリーパーツの一例として、急カーブ時など、適正な乗車姿勢を維持できるようにルーフトリムの側縁部に取り付けられるアシストグリップとルーフトリムをルーフパネルに取り付ける取付構造について、図１０を基に説明する。図面において、ルーフトリム１は、僅かに湾曲したパネル形状に成形され、適度の保形性を有するトリム基材１ａの表面にクロス、不織布等の表皮１ｂを貼着して構成されている。
【０００４】
そして、ルーフトリム１とアシストグリップ２をルーフパネル３に取り付けるには、まず、ルーフトリム１をアシストグリップベース部２ａとクリップ４のクリップベース４ａで挟み込み、ビス４ｂで固定する。更に、アシストグリップ２を組み付けたルーフトリム１をルーフパネル３に位置決めした後、クリップ４をルーフパネル３の取付孔３ａに係着することにより、図１１に示すように、ルーフパネル３に対してルーフトリム１及びアシストグリップ２を一体に組付け固定している。
【０００５】
このように、ルーフトリム１をアシストグリップベース部２ａとクリップ４のクリップベース４ａで挟み付けた状態でルーフパネル３に同時組付けするというモジュール化構造においては、ルーフパネル３の取付面に対して車体組付け方向が約４５°異なるため、ルーフパネル３の取付孔３ａにクリップ４を挿入しづらく、作業性を低下させる大きな要因となっている。
【０００６】
更に、車体ユニット（ハーネス、フィーダー、ブラケット、カーテン式エアバッグ等）がルーフパネル３に装備されている場合には、図１０中符号ａで示す部分に設定されることがあるため、ルーフトリム１の取付軌跡でクリップ４がこれら車体ユニットと干渉し、クリアランスを充分に確保しなければモジュール化が困難となり、スペース的な制約が大きいという問題点が指摘されている。
【０００７】
これらの問題点を解決するために、出願人は、ルーフトリム１におけるアシストグリップ２のモジュール化構造の改良例を先に出願している。このものは、図１２に示すように、アシストグリップ２の装着対象となるルーフトリム１の裏面には、樹脂製のルーフサイドブラケット５がプッシュオンフィックス等の機械止めや超音波溶着等により、ルーフトリム１の裏面側に取り付けられている。一方、アシストグリップ２の両端に設けられているリテーナ６は、ルーフトリム１及びサイドブラケット５に爪６ａを介して取付用開口に仮保持されている。
【０００８】
そして、このリテーナ６の先端側に鉄クリップ６ｂがビス６ｃにより取り付けられており、リテーナ６の爪６ａを介してアシストグリップ２をルーフトリム１に保持した状態でルーフトリム１をルーフパネル３に取り付けるのと同時にリテーナ６の取付端側に設けた鉄クリップ６ｂをルーフパネル３の取付孔３ａに嵌着することで、ルーフトリム１におけるアシストグリップ２のモジュール化構造を達成している（例えば、特許文献１参照。）。
【０００９】
【特許文献１】特開２００２−２４０６４４号公報  （第２頁、第４頁、図２、図１４、図１５）
【発明の開示】
【発明が解決しようとする課題】
【００１０】
このように、上述したルーフトリム１におけるアシストグリップ２のモジュール化構造によれば、車体パネルに装備される車体ユニットとの干渉が回避でき、アシストグリップ２等のアクセサリーパーツの円滑な取付作業性が期待できるものの、アシストグリップ２の両端に設けられるリテーナ６に対して鉄クリップ６ｂをビス６ｃにより固着する構成であり、部品点数が多く、コスト高を招くとともに、組付作業性の低下をもたらすという欠点があった。
【００１１】
また、ルーフトリム１の開口が大きいため、開口を塞ぐフランジやベース部の大型化を招くとともに、開口端縁の木口が室内側に露出し易く、見栄えが悪く、しかも剛性が低下するという問題点があった。
【００１２】
この発明は、このような事情に鑑みてなされたもので、ルーフトリムをルーフパネルに取り付ける際、アシストグリップ、ルームミラー用ブラケット、サンバイザ用ブラケット等のアクセサリーパーツを同時に取り付けることができるルーフトリムにおけるモジュール化構造であって、車体パネルに装備される車体ユニットとの干渉が回避できるとともに、部品点数を削減することで、組付作業性を高め、かつ廉価に実施でき、しかも、ルーフトリムの開口を小さくできるため、外観見栄えを向上させ、アクセサリーパーツの支持部の構造をコンパクト化できるルーフトリムにおけるモジュール化構造を提供することを目的とする。
【課題を解決するための手段】
【００１３】
上記課題を達成するために、本発明は、車体のルーフパネルの室内面に装着されるルーフトリム並びにアクセサリーパーツを仮保持した状態でルーフパネルにルーフトリムを位置決めし、ルーフトリム及びアクセサリーパーツをルーフパネルに取り付けるルーフトリムにおけるモジュール化構造において、前記アクセサリーパーツは、支持部材により支持されており、ルーフトリムの表面に対して上記支持部材を位置決めし、支持部材の開口内にインサート体を抜き差し自在に挿入し、かつインサート体をルーフトリムの開口内に挿入した後、インサート体の先端面に鉄クリップをネジ止め固定することにより、ルーフトリムに対してアクセサリーパーツを仮保持し、ルーフパネルの取付孔に上記鉄クリップを対峙させるように、ルーフトリムを位置決めした後、インサート体を押し込むことにより、鉄クリップをルーフパネルの取付孔内に係着し、ルーフトリムとアクセサリーパーツをルーフパネルに一括して組み付けることを特徴とする。
【００１４】
ここで、ルーフトリムは、軽量で、かつ適度の保形性を備えるとともに、良好な手触り感、外観見栄えを備えることが望ましいことから、ガラス繊維を混入した合成樹脂板、ＰＰＯ（ポリフェニレンオキシド）等の発泡樹脂板、繊維板等の成形基材の表面にクロス、不織布等の表皮を貼付した構成が一般に使用される。
【００１５】
更に、アクセサリーパーツとしては、アシストグリップ、ルームランプ用ブラケット、ルームミラー用ブラケット、サンバイザ用ブラケット並びにホルダ、フック等が挙げられる。また、アクセサリーパーツの支持部材とは、ルーフトリムやルーフパネルに固定されるパーツ本体を支持する部材のことを言う、例えば、アシストグリップの場合、グリップ本体の両端を支持する支持ブラケットがこれにあたり、サンバイザ用ブラケット、サンバイザ用ホルダの場合には、単体構造であるため、ブラケット本体、ホルダ本体自体が支持部材の機能をもつ。
【００１６】
そして、本発明によれば、アクセサリーパーツにおける支持部材の開口をルーフトリムの開口と合わせてルーフトリムの表面側に支持部材を位置決めした状態で、この支持部材の開口及びルーフトリムの開口内にインサート体を抜き差し可能に差し込み、インサート体の下端に鉄クリップをネジ止め等により固着すれば、ルーフトリムに対してアクセサリーパーツを仮保持することができる。
【００１７】
更に、このモジュール化したルーフトリムとアクセサリーパーツをルーフパネルに取り付けるには、ルーフパネルの取付孔に対して鉄クリップを対峙させ、インサート体をパネル側に押し込むことで車体パネルの取付孔に鉄クリップを嵌着することができ、ルーフパネルに対してルーフトリムとアクセサリーパーツとを一括して組み付ける作業を完了させることができる。
【００１８】
従って、アクセサリーパーツとルーフトリムの仮止め状態においては、インサート体を上方に持ち上げておけば、ルーフパネルへの取付時、車体ユニット等との干渉を回避できる。
【００１９】
また、ルーフトリムの開口は、インサート体を挿入する寸法が確保されていれば良いため、開口を小さく規制でき、隙間等が生じることがなく、外観見栄えが向上するとともに、ルーフトリムの剛性を強固に維持できる。
【００２０】
次いで、本発明の別の実施の態様は、車体のルーフパネルの室内面に装着されるルーフトリム並びにアクセサリーパーツを仮保持した状態でルーフパネルにルーフトリムを位置決めし、ルーフトリム及びアクセサリーパーツをルーフパネルに取り付けるルーフトリムにおけるモジュール化構造において、前記アクセサリーパーツは、支持部材により支持され、支持部材には、ルーフトリムの開口内に挿入する突起が一体化されており、該突起をルーフトリムの開口内に挿入した後、突起の下端面に鉄クリップを位置決めし、突起の内面側から長寸状ネジを挿入し、この長寸状ネジの先端に鉄クリップを仮止めし、鉄クリップを先端に仮保持した長寸状ネジを支持部材に対してフローティング構造に設定することで、ラフな状態でルーフトリムにアクセサリーパーツを仮保持し、ルーフパネルの取付孔に上記鉄クリップを対峙させて、ルーフトリムを位置決めした後、取付孔内に鉄クリップを係着し、更に、長寸状ネジを鉄クリップに対して締め付けていくことで、ルーフトリム及びアクセサリーパーツをルーフパネルに一括して組み付けることを特徴とする。
【００２１】
そして、この実施の態様によれば、ルーフトリムの開口内にアクセサリーパーツにおける支持部材の突起を挿入し、突起の先端面に鉄クリップを保持するように突起を挿通する長寸状ネジを室内側から取り付け、突起に対してフローティング構造となる長寸状ネジの先端に鉄クリップを保持するという構成であるから、ルーフトリムに対してアクセサリーパーツを仮保持でき、長寸状ネジを室内側に引き上げておけば、パネル側に突出する寸法を軽減でき、車体ユニットとの干渉を回避できる。
【００２２】
また、ルーフトリムに開設する開口は、支持部材に設けた突起を挿入する寸法を備えていれば良いため、ルーフトリムの開口を小さく規制でき、外観見栄えを低下させることがなく、開口を塞ぐ支持部材をコンパクト化でき、かつルーフトリムの剛性を強固に維持できる。更に、ルーフパネルに取り付ける際は、長寸状ネジの先端に仮止めした鉄クリップをルーフパネルの取付孔に係着した後、鉄クリップに対して長寸状ネジを締め付けていけば、ネジ先端部分が鉄クリップ内に入り込み、鉄クリップに外れ方向の外力が加わっても、鉄クリップが内方に向けて撓むことがないため、車体パネルへの強度を強固に維持できる。また、長寸状ネジは、室内側から緩めることができるため、ルーフトリムを取り外すことなくアクセサリーパーツだけを取り外すことができる。
【発明の効果】
【００２３】
以上説明した通り、本発明に係るルーフトリムにおけるモジュール化構造は、アクセサリーパーツにおける支持部材に抜き差し自在に差し込んだインサート体の先端面に鉄クリップをネジ止めするか、あるいはアクセサリーパーツの支持部材にパネル側に突出する突起を設け、突起の先端面に鉄クリップをフローティング構造の長寸状ネジで取り付けるというものであるから、インサート体、あるいは長寸状ネジを手前側に引き寄せれば、ルーフトリムとアクセサリーパーツとを仮保持した状態で鉄クリップの突出量が規制できるため、車体ユニットとの干渉を有効に回避できるとともに、ルーフパネルに対してルーフトリム並びにアクセサリーパーツを取り付けるには、インサート体を押し込むか、長寸状ネジを締め付けるだけで、ルーフトリム並びにアクセサリーパーツを一括して組み付けることができることから、取付作業性を向上させることができるという効果を有する。
【００２４】
更に、本発明に係るルーフトリムにおけるモジュール化構造によれば、アクセサリーパーツの支持部材に差し込むインサート体、あるいはアクセサリーパーツにおける支持部材にパネル側に突出する突起をルーフトリムの取付用開口内に挿入するという構成であるため、ルーフトリムに開設する開口の寸法は小さくて済み、開口が外部に目立たず、室内美観を低下させることがないとともに、開口を塞ぐ支持部材を大型化する必要がなく、かつルーフトリムの剛性が開口により低下することがないため、ルーフトリムの強固な剛性を維持できるという効果を有する。
【００２５】
また、本発明として、長寸状ネジの先端で鉄クリップを保持するフローティング構造を採用した場合は、ルーフパネル取付孔内に鉄クリップを係着した後、長寸状ネジの締め付けを最終的に完了した状態では、鉄クリップ内にネジの先端部が入り込み、ストッパとして機能するため、鉄クリップの撓み変形を阻止できることから、ルーフパネルへの取付強度を強固に維持できるとともに、メンテナンス時には、室内側からネジを緩めれば、アクセサリーパーツを簡単に取り外すことができ、メンテナンス作業性を高めることができるという効果を有する。
【発明を実施するための最良の形態】
【００２６】
以下、本発明に係るルーフトリムにおけるモジュール化構造を実施するための最良の形態について、実施例１、実施例２において図面を参照しながら詳細に説明する。
【実施例１】
【００２７】
図１は本発明に係るモジュール化構造を採用したルーフトリムを室内側からみた正面図、図２乃至図５は本発明に係るルーフトリムにおけるモジュール化構造に使用するアクセサリーパーツとしてアシストグリップに適用した第１実施例を示すもので、図２はルーフトリムとアシストグリップをルーフパネルに取り付けた状態を示す断面図、図３はアシストグリップの構成を示す分解斜視図、図４，図５はアシストグリップとルーフトリムをルーフパネルに取り付ける工程を示す各断面図である。
【００２８】
図１において、ルーフトリム１０は、ルーフパネルの形状に略等しく、やや湾曲状に成形され、フロント縁部には、サンバイザ１１のブラケット１２やサンバイザ用ホルダ１３及びルームミラー用ブラケット１４が装着され、ルーフトリム１０の側縁部には、リヤ側両側及びフロント側の助手席側にアシストグリップ２０が装着されている。そして、ルーフトリム１０をルーフパネル（図１では図示せず）に取り付ける際、上述した各部品（アクセサリーパーツ）をルーフパネルに同時に組付け固定する、いわゆるモジュール化構造が採用されている。
【００２９】
図２乃至図５は、本発明に係るモジュール化構造として、ルーフトリム１０とアシストグリップ２０との間のモジュール化構造を示すもので、図２はアシストグリップ２０をルーフトリム１０とともに、ルーフパネル４０に取り付けた状態、図３はアシストグリップ２０の斜視図を示す。すなわち、図２に示すように、ルーフトリム１０は、この実施形態では、ガラス繊維を混入したＰＰ（ポリプロピレン）樹脂基材１０ａの表面にクロスまたは不織布等からなる表皮１０ｂを貼付して構成され、アシストグリップ２０を取り付けるための小型の開口１５が開設されている。また、ルーフトリム１０の裏面には、スペーサ機能をもつ樹脂製ブラケット３０が取り付けられている。
【００３０】
更に、樹脂製ブラケット３０として、中空ボックス状に形成された構造体を使用した場合には、側突時、車両に加わる衝撃により、ブラケットが損壊するときのエネルギー消費で、側突時の衝撃を緩和することができるが、ルーフトリム１０の裏面に接着固定される樹脂発泡体等を使用することもできる。
【００３１】
そして、本発明の課題は、ルーフトリム１０をルーフパネル４０に取り付ける際、ルーフトリム１０とアシストグリップ２０をモジュール化でき、しかも、ルーフパネル４０側への突出量を軽減することにより、ルーフパネル４０に装備されるカーテン式エアバッグのレール等の車体ユニットとの干渉を回避できることは勿論のこと、部品点数の削減、並びに組付け工数の低減及び外観見栄えの向上を図ることにある。すなわち、アシストグリップ２０は、ＰＰ樹脂等、合成樹脂の射出成形体からなる把手状のアシストグリップ本体５０と、このアシストグリップ本体５０両端のベース部５１に設けられる支持部材５２と、この支持部材５２内に挿入されるピン状のインサート体５３と、インサート体５３の取付端に固着される鉄クリップ５４とから大略構成されている。
【００３２】
更に、図３に示すように、このアシストグリップ２０におけるアシストグリップ本体５０は、、非使用時にはルーフトリム１０の製品表面と重なり合うように格納方向に付勢され、使用時には、格納状態からほぼ９０°室内側にアシストグリップ本体５０を回動操作してグリップ機能を果たすことになる。このように、アシストグリップ２０は、格納式タイプに適用されている。そのための構成としては、アシストグリップ本体５０の両端に位置するベース部５１には、支持部材５２を収容する凹部５１１が凹設されており、この凹部５１１の両側部には、ヒンジ軸５１２を軸受けする軸受孔５１３が開設されている。
【００３３】
そして、ヒンジ軸５１２を軸受孔５１３に挿通する際には、支持部材５２の軸受孔５２１に挿通させることで、支持部材５２に対してアシストグリップ本体５０が回動可能となり、コイルスプリング５１４を介装することで、アシストグリップ本体５０にバネ付勢力を与えている。更に、支持部材５２には、インサート体５３を挿入する開口５２２が開設され、その周囲にフランジ５２３が設けられている。そして、支持部材５２の開口５２２内に挿入したインサート体５３の先端面５３１に鉄クリップ５４がネジ５５により締め付け固定される。
【００３４】
次いで、図４，図５に基づいて、ルーフトリム１０とアシストグリップ２０とをモジュール化してルーフパネル４０に一括して組み付ける工程について説明する。まず、ルーフパネル４０に取り付ける前の状態においては、ルーフトリム１０の表面の所定位置にアシストグリップ２０を位置決めし、その際、アシストグリップ２０における支持部材５２の開口５２２と、ルーフトリム１０の開口１５とを合致させるように位置決めし、支持部材５２の開口５２２及びルーフトリム１０の開口１５内に室内側からピン状のインサート体５３を抜き差し自在に挿入し、インサート体５３の先端面５３１に鉄クリップ５４をネジ５５により締め付け固定する。
【００３５】
従って、インサート体５３を引き抜こうとした場合、鉄クリップ５４の端末５４１がルーフトリム１０の裏面に突き当たるため、ルーフトリム１０に対してアシストグリップ２０が仮保持状態となる。そして、図４に示すように、インサート体５３に鉄クリップ５４を固定した状態でインサート体５３を手前側に持ち上げておけば、鉄クリップ５４のパネル側に突出する突出量が樹脂製ブラケット３０の厚みとほぼ同等であり、ルーフパネル４０に取り付ける際、車体ユニット等と干渉することがなく、ルーフパネル４０に対して円滑に位置決めでき、取付作業性を高めることができる。
【００３６】
そして、実際にルーフトリム１０とアシストグリップ２０とをモジュール化した状態でルーフパネル４０に取り付けるには、ルーフパネル４０の取付孔４１に鉄クリップ５４の先端を対峙させ、インサート体５３をルーフパネル４０側に押し込めば、図５に示すように、鉄クリップ５４がルーフパネル４０の取付孔４１内に係着することで、ルーフパネル４０に対してルーフトリム１０及びアシストグリップ２０とを一括して組み付けることができる。
【００３７】
上述したように、ルーフトリム１０とアシストグリップ２０とをモジュール化することで、作業者は片手作業でルーフパネル４０に対してルーフトリム１０及びアシストグリップ２０を取り付けることができ、その際、車体ユニット等との干渉を回避でき、円滑な取付作業性が得られるとともに、特に、第１実施例においては、ルーフトリム１０に開設する開口１５の寸法は、インサート体５３を挿入できるだけの寸法を備えていれば良いため、従来のようにリテーナ等の幅広部分を挿入する必要がなく、開口１５を小さく規制できるため、開口１５が外部に目立つことがなく、室内美観を良好に保ち、大きな開口を塞ぐためのフランジ、ベース等を大型化する必要もなく、ルーフトリム１０に開設する開口１５が小型であることから、剛性の低下を極力防止でき、強固な剛性を維持できるという効果がある。
【実施例２】
【００３８】
図６乃至図８は、本発明の第２実施例の要部を示すもので、この第２実施例においてもルーフパネル４０に対してルーフトリム１０とアシストグリップ２０とをモジュール化する構造に適用したもので、第１実施例と同一部分には同一符号を付し、その詳細な説明は省略する。
【００３９】
この第２実施例においては、図６に示すように、アシストグリップ２０におけるグリップ本体５０の両端のベース部５１に取り付けられる支持部材５２の取付面側には、突起５２４が突設形成されており、ルーフトリム１０の開口１５内に突起５２４を貫通させた後、この突起５２４の下端面５２４ａに鉄クリップ５４を位置決めし、長寸状ネジ５６を突起５２４の上端面５２４ｂから挿通孔５２５内にフローティング状態で挿入して、長寸状ネジ５６の先端部分５６１で鉄クリップ５４を係着保持している。
【００４０】
従って、ルーフパネル４０に取り付ける前の状態においては、支持部材５２の突起５２４をルーフトリム１０の開口１５内に挿入し、突起５２４の下端面５２４ａに鉄クリップ５４を保持した状態であり、この状態においては、ルーフトリム１０とアシストグリップ２０とが相互に仮保持状態にあり、鉄クリップ５４の端末５４１がブラケット３０、あるいはルーフトリム１０の裏面に突き当たるため、両者は確実に仮保持されている。
【００４１】
そして、ルーフパネル４０に対してルーフトリム１０を取り付ける際、ルーフトリム１０とアシストグリップ２０とが仮保持されているため、片手作業で作業が可能なことから、良好な作業性が得られるとともに、長寸状ネジ５６は、フローティング構造であるため、図６中矢印方向に引き上げることができ、長寸状ネジ５６を上方に持ち上げることで、鉄クリップ５４が取付面側に突出することがなく、ルーフパネル４０への取付時、車体ユニットとの干渉を回避できる。
【００４２】
次いで、ルーフトリム１０及びアシストグリップ２０をルーフパネル４０に取り付けるには、図６に示す状態から図７に示すように、鉄クリップ５４をルーフパネル４０の取付孔４１内に係着させる。この状態においては、長寸状ネジ５６のヘッドは突起５２４の上端面５２４ｂよりも上方に浮いた位置にある。その後、長寸状ネジ５６を鉄クリップ５４に対して締め付けていき、長寸状ネジ５６の締め付けが完了すれば、キャップ５７で閉蓋する。従って、図８に示すように、長寸状ネジ５６の先端部が鉄クリップ５４内に入り込み、スペーサ５６２として機能し、鉄クリップ５４内に外れ方向の外力が加わっても、鉄クリップ５４はこのスペーサ５６２に阻止され、内方に撓み変形しない。
【００４３】
そして、この鉄クリップ５４の取付状態にあっては、長寸状ネジ５６の先端部分がスペーサ５６２として機能し、鉄クリップ５４が撓み変形することがないため、ルーフトリム１０及びアシストグリップ２０の取付強度を強固に維持できるとともに、キャップ５７を外して長寸状ネジ５６を緩めれば、室内側からの操作でアシストグリップ２０を取り外すことが可能になり、ルーフトリム１０を取り外すことなく、アシストグリップ２０のみを交換できる等、メンテナンス作業性を高めることができるという効果がある。
【００４４】
従って、第２実施例においても、ルーフトリム１０とアシストグリップ２０とをモジュール化できることで、ルーフパネル４０への取付作業性に優れ、かつ車体ユニットとの干渉も回避でき、更に、ルーフトリム１０の開口１５は、支持部材５２の突起５２４を差し込む寸法があれば良いため、開口１５も小さくて済み、室内見栄えを高め、ルーフトリム１０の剛性を強固に維持できるという第１実施例の作用効果と同一の効果が得られる。加えて、第２実施例では、鉄クリップ５４の取付強度を高め、かつメンテナンス時、室内側からアシストグリップ２０を簡単に取り外すことができ、メンテナンス作業性に優れるという付随的な効果がある。
【実施例３】
【００４５】
図９は、本発明の第３実施例を示すもので、ルーフトリム１０に取り付けられるサンバイザ用ホルダ１３に本発明に係るモジュール化構造を適用した形態を示す。図面において、サンバイザ用ホルダ１３は、図９では、図示しないサンバイザの補助ノブを係着するようにカール状に成形されたホルダ本体６１と、取付面側のフランジ６２とから構成され、合成樹脂の射出成形体から構成されている。
【００４６】
そして、このサンバイザ用ホルダ１３は、単一構成であるため、アシストグリップ２０における支持部材５２はなく、サンバイザ用ホルダ１３それ自体が支持部材としての機能を備えている。上記サンバイザ用ホルダ１３には、貫通孔６３が開設され、この貫通孔６３内にインサート体５３が差し込まれ、インサート体５３をルーフトリム１０の開口１５内を貫通させた後、インサート体５３の先端面５３１に鉄クリップ５４がネジ５５で固着される点は第１実施例と同様である。
【００４７】
このとき、サンバイザ用ホルダ１３のフランジ６２の幅寸法Ａがルーフトリム１０の開口１５の幅寸法Ｂよりも大きく、かつ鉄クリップ５４の幅寸法Ｃが開口１５の幅寸法Ｂよりも大きく設定されているため、ルーフトリム１０とサンバイザ用ホルダ１３は、仮アッセンブリされた状態となる。
【００４８】
従って、ルーフトリム１０をルーフパネル４０に対して位置決めした後、インサート体５３を押し込むことにより、鉄クリップ５４がルーフパネル４０の取付孔４１内に係着することで、ルーフトリム１０とサンバイザ用ホルダ１３の取り付けを簡単に完了させることができる。
【産業上の利用可能性】
【００４９】
以上説明した実施例１、実施例２は、ルーフトリム１０とアシストグリップ２０のモジュール化構造について、また、実施例３は、サンバイザ用ホルダ１３について説明したが、ルーフトリム１０に対するサンバイザ用ブラケット１２、あるいはルームミラー用ブラケット１４等のモジュール化構造に適用することもできる等、本発明は、ルーフトリム１０の室内側に装着されるアクセサリーパーツ全般に適用できる。
【図面の簡単な説明】
【００５０】
【図１】本発明に係るモジュール化構造におけるルーフトリムを室内側からみた正面図である。
【図２】本発明に係るモジュール化構造をアシストグリップに適用した第１実施例の構成を示す断面図である。
【図３】図２に示すモジュール化構造におけるアシストグリップの構成を示す斜視図である。
【図４】図２に示すモジュール化構造におけるアシストグリップとルーフトリムとの仮保持状態を示す説明図である。
【図５】図２に示すモジュール化構造におけるアシストグリップとルーフトリムとをルーフパネルに取り付けた状態を示す断面図である。
【図６】本発明に係るモジュール化構造をアシストグリップに適用した第２実施例を示すもので、アシストグリップとルーフトリムとの仮保持状態を示す説明図である。
【図７】本発明に係るモジュール化構造をアシストグリップに適用した第２実施例を示すもので、鉄クリップをルーフパネルに係着した状態を示す説明図である。
【図８】本発明に係るモジュール化構造をアシストグリップに適用した第２実施例を示すもので、ルーフトリムとアシストグリップをルーフパネルに取り付けた状態を示す説明図である。
【図９】本発明に係るモジュール化構造をサンバイザ用ホルダに適用した実施例を示す説明図である。
【図１０】従来のルーフトリムとアシストグリップの取付作業を示す説明図である。
【図１１】従来のルーフトリムとアシストグリップの取付構造を示す説明図である。
【図１２】従来のアシストグリップのモジュール化構造を示す説明図である。
【符号の説明】
【００５１】
１０  ルーフトリム
１３  サンバイザ用ホルダ
１５  開口
２０  アシストグリップ
３０  樹脂製ブラケット
４０  ルーフパネル
４１  取付孔
５０  アシストグリップ本体
５１  ベース部
５２  支持部材
５２２  開口
５２３  フランジ
５２４  突起
５３  インサート体
５４  鉄クリップ
５５  ネジ
５６  長寸状ネジ
５７  キャップ
６１  ホルダ本体
６２  フランジ
６３  貫通孔
【図１】
2005306288.tif 000003
【図２】
2005306288.tif 000004
【図３】
2005306288.tif 000005
【図４】
2005306288.tif 000006
【図５】
2005306288.tif 000007
【図６】
2005306288.tif 000008
【図７】
2005306288.tif 000009
【図８】
2005306288.tif 000010
【図９】
2005306288.tif 000011
【図１０】
2005306288.tif 000012
【図１１】
2005306288.tif 000013
【図１２】
2005306288.tif 000014